【手続補正書】
【提出日】平成16年12月20日(2004.12.20)
【手続補正１】
【補正対象書類名】明細書
【補正対象項目名】特許請求の範囲
【補正方法】変更
【補正の内容】
【特許請求の範囲】
【請求項１】
少なくともビデオデータを有するオーディオ・ビデオデータ（ＡＶデータ）が圧縮符号化され複数多重化された圧縮デジタルＡＶ信号、および、１のＡＶデータが所定の形式に変換された非圧縮デジタルＡＶ信号を受信し、所望のＡＶデータを再生出力する装置であって、
前記圧縮デジタルＡＶ信号および前記非圧縮デジタルＡＶ信号のいずれもを伝送可能な伝送路が接続され、該伝送路を介して送信される信号を受信する受信手段と、
前記受信した信号が前記圧縮デジタルＡＶ信号であった場合に、該受信した信号より前記所望のＡＶデータを抽出し、該抽出したＡＶデータを復号化する復号化手段と、
前記受信した信号が前記非圧縮デジタルＡＶ信号であった場合に、該受信した信号より元のＡＶデータを復元する復元手段と、
前記受信した信号が、前記圧縮デジタルＡＶ信号または前記非圧縮デジタルＡＶ信号のいずれであるかを判別する信号判別手段と、
前記判別結果に基づいて、前記復合化手段または前記復元手段のいずれかを選択し、該選択された手段で復号化または復元された前記ＡＶデータを獲得する選択手段と、
前記獲得したＡＶデータを前記所望のＡＶデータとして出力する出力手段と
を有する信号処理装置。
【請求項２】
前記伝送路は特性インピーダンスが７５［Ω］の同軸ケーブルであり、
前記受信手段には前記同軸ケーブルが接続され、
前記圧縮デジタルＡＶ信号および前記非圧縮デジタルＡＶ信号は、前記同軸ケーブルを介して伝送可能な各々所定の形式のシリアル信号である
ことを特徴とする請求項１記載の信号処理装置。
【請求項３】
前記圧縮デジタルＡＶ信号は、ＡＶデータがＭＰＥＧ２方式(Moving Picture coding Experts Groupによる高品質動画符号化方式) により圧縮符号化され、該圧縮符号化された複数のＡＶデータがトランスポートストリームとして多重化され、該トランスポートストリームが非同期シリアルインターフェイス（ＡＳＩ：Asynchronous Serial Interface ）に基づいて送信された信号である
ことを特徴とする請求項１記載の信号処理装置。
【請求項４】
前記信号判別手段は、前記受信した信号に対して、前記圧縮デジタルＡＶ信号に当該信号のパラレル−シリアル変換のために付加されているシンクバイトデータ（ＳｙｎｃＢｙｔｅ）の検出を行い、当該シンクバイトデータが検出された場合に、当該受信した信号が前記圧縮デジタルＡＶ信号であると判別する
請求項３記載の信号処理装置。
【請求項５】
前記圧縮デジタルＡＶ信号は、前記多重化されたトランスポートストリームを８Ｂ−１０Ｂ変換し、さらにパラレル−シリアル変換して生成された信号であって、
前記復号化手段は、前記受信した信号をシリアル−パラレル変換する手段と、前記パラレル変換された信号を１０Ｂ−８Ｂ変換する手段とを有し、
前記信号判別手段は、前記１０Ｂ−８Ｂ変換の際のエラーチェック結果に基づいて、前記受信した信号が前記圧縮デジタルＡＶ信号であるか否かを判別する
請求項３記載の信号処理装置。
【請求項６】
前記非圧縮デジタルＡＶ信号は、ＳＭＰＴＥ２５９Ｍにより規定されたシリアルデジタルインターフェイス（ＳＤＩ：Serial Digital Interface）フォーマットの信号である
ことを特徴とする請求項１記載の信号処理装置。
【請求項７】
前記出力手段は、前記選択したＡＶデータのビデオデータおよびオーディオデータを各々アナログ信号に変換するデジタル／アナログ変換手段を有し、前記変換されたアナログビデオ信号およびアナログオーディオ信号を出力する
請求項２記載の信号処理装置。
【請求項８】
少なくともビデオデータを有するオーディオ・ビデオデータ（ＡＶデータ）が圧縮符号化され複数多重化された圧縮デジタルＡＶデータ、または、１のＡＶデータが所定の形式に変換された非圧縮デジタルＡＶデータのいずれかを送信用ＡＶデータとして選択する送信データ選択手段と、
前記選択された送信用ＡＶデータを、伝送用シリアル信号に変換して送信する送信手段と、
前記送信された信号を伝送する伝送路と、
前記伝送路を介して送信された信号を受信する受信手段と、
前記受信した信号が前記圧縮デジタルＡＶデータの信号であった場合に、該受信した信号より所望のＡＶデータを抽出し、該抽出したＡＶデータを復号化する復号化手段と、
前記受信した信号が前記非圧縮デジタルＡＶデータの信号であった場合に、該受信した信号より元のＡＶデータを復元する復元手段と、
前記受信した信号が、前記圧縮デジタルＡＶデータの信号または前記非圧縮デジタルＡＶデータの信号のいずれであるかを判別する信号判別手段と、
前記判別結果に基づいて、前記復号化されたＡＶデータまたは前記復元されたＡＶデータのいずれかを選択する選択手段と、
前記選択したＡＶデータを出力する出力手段と
を有する伝送装置。
【請求項９】
前記伝送路は、特性インピーダンスが７５［Ω］の同軸ケーブルであり、
前記送信手段は、前記選択された送信用ＡＶデータを前記同軸ケーブルにより伝送可能な信号に変換して送信する
請求項８記載の伝送装置。
【請求項１０】
前記圧縮符号化された複数のＡＶデータを多重化する多重化手段
をさらに有し、
前記送信データ選択手段は、前記多重化されたＡＶデータ、または、入力される複数の前記非圧縮デジタルＡＶデータのいずれか１つを前記送信用ＡＶデータとして選択する
請求項８記載の伝送装置。
【請求項１１】
入力される複数のＡＶデータを、各々前記所定の方式により圧縮符号化する符号化手段
をさらに有し、
前記多重化手段は、前記圧縮符号化された複数のＡＶデータを多重化する
請求項１０記載の伝送装置。
【請求項１２】
前記符号化手段は、前記複数のＡＶデータの各々をＭＰＥＧ２方式(Moving Picture coding Experts Groupによる高品質動画符号化方式) により圧縮符号化し、
前記多重化手段は、前記圧縮符号化された複数のＡＶデータを多重化し、ＭＰＥＧ２トランスポートストリームを生成し、
前記送信データ選択手段は、前記ＭＰＥＧ２トランスポートストリーム、または、前記複数の非圧縮デジタルＡＶデータのいずれか１つを前記送信用ＡＶデータとして選択し、
前記送信手段は、前記選択された送信用ＡＶデータが、前記ＭＰＥＧ２トランスポートストリームであった場合に、当該ＭＰＥＧ２トランスポートストリームを、非同期シリアルインターフェイス（ＡＳＩ：Asynchronous Serial Interface ）により送信する
請求項１１記載の伝送装置。
【請求項１３】
前記非圧縮デジタルＡＶ信号は、ＳＭＰＴＥ２５９Ｍにより規定されたシリアルデジタルインターフェイス（ＳＤＩ：Serial Digital Interface）フォーマットの信号である
ことを特徴とする請求項１２記載の伝送装置。
【請求項１４】
少なくともビデオデータを有するオーディオ・ビデオデータ（ＡＶデータ）が圧縮符号化され複数多重化された圧縮デジタルＡＶ信号、および、１のＡＶデータが所定の形式に変換された非圧縮デジタルＡＶ信号を受信し、所望のＡＶデータを再生出力する信号処理方法であって、
前記圧縮デジタルＡＶ信号および前記非圧縮デジタルＡＶ信号のいずれもを伝送可能な伝送路を介して送信される信号を受信する受信するステップと、
前記受信した信号が、前記圧縮デジタルＡＶ信号または前記非圧縮デジタルＡＶ信号のいずれであるかを判別するステップと、
前記受信した信号が前記圧縮デジタルＡＶ信号であると判別した場合に、該受信した信号より前記所望のＡＶデータを抽出し、該抽出したＡＶデータを復号化し、前記受信した信号が前記非圧縮デジタルＡＶ信号であると判別した場合に、該受信した信号より元のＡＶデータを復元するステップと、
復号化処理または復元処理によって前記ＡＶデータを獲得するステップと、
前記獲得したＡＶデータを前記所望のＡＶデータとして出力するステップと、
を有する信号処理方法。
【手続補正２】
【補正対象書類名】明細書
【補正対象項目名】００１５
【補正方法】変更
【補正の内容】
【００１５】
このような構成の伝送装置によれば、送信データ選択手段において圧縮デジタルＡＶデータまたは非圧縮デジタルＡＶデータを送信用ＡＶデータとして選択し、送信手段においてその選択した送信用ＡＶデータを所定の伝送用シリアル信号に変換して伝送路に対して送信する。そして、受信手段において伝送路を介して送信された信号を受信し、受信した信号に対して、復号化手段においては所望のＡＶデータを抽出し、抽出したＡＶデータを復号化する処理を施し、復元手段においては元のＡＶデータを復元する処理を施す。その一方で、信号判別手段において、受信した信号が圧縮デジタルＡＶ信号か非圧縮デジタルＡＶ信号かを判別し、その判別結果に基づいて符号化手段または復元手段のいずれかの出力を選択することにより、復号化または復元された適切なＡＶデータを獲得する。
さらに、本発明の信号処理方法は、少なくともビデオデータを有するオーディオ・ビデオデータ（ＡＶデータ）が圧縮符号化され複数多重化された圧縮デジタルＡＶ信号、および、１のＡＶデータが所定の形式に変換された非圧縮デジタルＡＶ信号を受信し、所望のＡＶデータを再生出力する信号処理方法であって、前記圧縮デジタルＡＶ信号および前記非圧縮デジタルＡＶ信号のいずれもを伝送可能な伝送路を介して送信される信号を受信する受信するステップと、前記受信した信号が、前記圧縮デジタルＡＶ信号または前記非圧縮デジタルＡＶ信号のいずれであるかを判別するステップと、前記受信した信号が前記圧縮デジタルＡＶ信号であると判別した場合に、該受信した信号より前記所望のＡＶデータを抽出し、該抽出したＡＶデータを復号化し、前記受信した信号が前記非圧縮デジタルＡＶ信号であると判別した場合に、該受信した信号より元のＡＶデータを復元するステップと、復号化処理または復元処理によって前記ＡＶデータを獲得するステップと、前記獲得したＡＶデータを前記所望のＡＶデータとして出力するステップと、を有する信号処理方法である。